(57)【要約】      （修正有）【課題】写真だけでなく、プリザーブドフラワーやミニチュアカー、思い出の品等の小物類をも、透明または半透明の素材でなるケースの外部から透視して観賞できる写真立てを提供する。【解決手段】プリザーブドフラワー、ドライフラワー、アーティフィシャルフラワー、ミニチュアカー、腕時計、メダル、思い出の品等の小物類４を収納するケース２と、そのケース２の上に着脱自在に装着され、写真５を飾るフレーム３とを有する写真立て１であって、ケース２を、下方に底板８を有する周壁９の上方に開口部が形成されたケース本体６と、該ケース本体６の開口部を塞ぐ蓋７とで形成し、蓋７の上面に、フレーム３を着脱自在に装着するフレーム支持部１２を設け、かつ、ケース本体６、蓋７、およびフレーム３を、透明または半透明の素材により形成した。また、透明または半透明の素材は、アクリル樹脂の板材を用いる。【選択図】図２
0003175527.tif 000002
【実用新案登録請求の範囲】
【請求項１】
プリザーブドフラワー、ドライフラワー、アートフィシャルフラワー、ミニチュアカー、腕時計、メダル、思い出の品等の小物類を収納するケースと、そのケースの上に着脱自在に装着され、写真等を飾るフレームとを有する写真立てであって、前記ケースを、下方に底板を有する周壁の上方に開口部が形成されたケース本体と、前記ケース本体の開口部を塞ぐ蓋とで形成し、前記蓋の上面に、前記フレームを着脱自在に装着するフレーム支持部を設け、かつ、前記ケース本体、前記蓋、および前記フレームを、透明または半透明の素材により形成したことを特徴とする写真立て。
【請求項２】
前記透明または半透明の素材は、アクリル樹脂の板材であることを特徴とする請求項１記載の写真立て。
【請求項３】
前記透明または半透明の素材は、ガラスの板材であることを特徴とする請求項１記載の写真立て。
【請求項４】
前記ケース本体に収納される前記小物類は、前記ケース本体に注入されるジェルにより位置決め固定されることを特徴とする請求項１〜３のいずれか一項に記載の写真立て。
【請求項５】
前記フレーム支持部は、前記フレームの下縁が挿入可能な凹条溝に形成されたことを特徴とする請求項１〜４のいずれか一項に記載の写真立て。
【請求項６】
前記凹条溝は、前記蓋の上面に穿って形成したことを特徴とする請求項５記載の写真立て。
【請求項７】
前記凹条溝は、前記蓋の上面に取り付けた一対の条部材を、隙間を存して並行配置して形成されたことを特徴とする請求項５記載の写真立て。
【請求項８】
前記凹条溝は、一本の条部材を穿って形成し、これを前記蓋の上面に設けたことを特徴とする請求項５記載の写真立て。
【考案の詳細な説明】
【技術分野】
【０００１】
本考案はプリザーブドフラワー、ドライフラワー、アーティフィシャルフラワー、ミニチュアカー、腕時計、メダル、思い出の品等の小物類を収納したケースが、写真類のフレームを着脱自在に載置されるフレーム台として利用できる写真立てに関する。
【背景技術】
【０００２】
従来、写真立ての技術として、特許文献１のように、写真を透明樹脂体のフレームに装着して飾る写真立てがある。しかし、この写真立ては写真を飾る機能だけしか有さず、物を収納する構造を備えた台の上にフレームが設けられるといった形態のものではない。
係る台の上にフレームを支持する技術として、例えば特許文献２に記載のものが公知である。この特許文献２に記載の技術は、カタログを収納する空間を有する外箱と、その外箱の上に折りたたみ可能に設けた蓋部とを備えている。蓋部には窓をくりぬき、そこに写真が嵌め込められるように構成している。
上記技術によれば、写真を嵌め込んだ蓋部を写真フレームとして立ち上げて外箱に位置決め固定することで、写真立てが製作でき、写真を外箱の上で飾ることができる。
さらに、写真と小物とを同時に飾る形態の技術として特許文献３に記載の技術が知られている。このものは全体がアクリル樹脂材で透明体ケースが形成され、そこに小物としてのボールを飾る場所と、写真立て部と、メダルやワッペン等の小物を収納する引き出し箱とを設けた構造である。これにより、ボール等の思い出の品々を写真と共に展示できるようにしている。
【先行技術文献】
【特許文献】
【０００３】
【特許文献１】実用新案登録第３１４８２２５号公報
【特許文献２】特開２００６−１３７１６４号公報
【特許文献３】特開２００５−５２３３１号公報
【考案の概要】
【考案が解決しようとする課題】
【０００４】
しかしながら、前述の如く、上記特許文献２に記載のものにあっては、外箱に形成されたカタログ収納空間は外部から内部を透視できる構造ではなく、カタログを視認できない。また、特許文献３のものでは、写真立て部の写真は観賞することはできるが、引き出し箱にしまい込まれた小物を外部から透視して観賞できない問題がある。
【０００５】
本考案は、上記に鑑みて工夫されたもので、フレームに飾り付けた写真等を観賞するだけでなく、フレームを支持するケースに装飾的な配慮でアレンジして収納されたプリザーブドフラワー、ドライフラワー、アーティフィシャルフラワー、ミニチュアカー、腕時計、メダル、思い出の品等の小物類も、透明または半透明の素材でなるケースの外部から透視して観賞でき、室内インテリアとしても利用可能な写真立てを提供しようとするものである。
【課題を解決するための手段】
【０００６】
上記の課題を解決するために、以下に示すような手段を講じることとした。すなわち、
(１)本考案は、プリザーブドフラワー、ドライフラワー、アーティフィシャルフラワー、ミニチュアカー、腕時計、メダル、思い出の品等の小物類を収納するケースと、そのケースの上に着脱自在に装着され、写真等を飾るフレームとを有する写真立てであって、前記ケースを、下方に底板を有する周壁の上方に開口部が形成されたケース本体と、前記ケース本体の開口部を塞ぐ蓋とで形成し、前記蓋の上面に、前記フレームを着脱自在に装着するフレーム支持部を設け、かつ、前記ケース本体、前記蓋、および前記フレームを、透明または半透明の素材により形成したことを特徴とする写真立てである。
【０００７】
本考案によれば、ケース本体および蓋でなるケースと、フレームとを透明または半透明の素材を用いて形成しているので、フレームの写真類だけでなく、ケースに収納される小物類も、外部のあらゆる角度から立体的に透視して見ることができる。このため、インテリアとしても役立つ写真立てを得ることができるようになる。
(２)本考案はまた、前記透明または半透明の素材は、アクリル樹脂の板材であることを特徴とする前記(２)記載の写真立てである。
【０００８】
本考案によれば、ケース本体、蓋、およびフレームをアクリル樹脂の板材を用いているので、透過性に優れ、クリスタル機能を発揮した写真立てを製作できるようになる。
(３)本考案はまた、前記透明または半透明の素材は、ガラスの板材であることを特徴とする前記(１)記載の写真立てである。
【０００９】
本考案によれば、ケース本体、蓋、およびフレームをガラスの板材を用いているので、透過性に優れ、かつ、クリスタル効果を効果的に醸し出す写真立てを製作できるようになる。
(４)本考案はまた、前記ケース本体に収納される前記小物類は、前記ケース本体に注入されるジェルにより位置決め固定されることを特徴とする前記(１)〜(３)のいずれか一に記載の写真立てである。
【００１０】
本考案によれば、小物類をケース本体内、すなわちケース内でジェルにより位置決め保持でき、小物類の配置が乱れるのを阻止できるようになる。
(５)本考案はまた、前記フレーム支持部は、前記フレームの下縁が挿入可能な凹条溝に形成されたことを特徴とする前記(１)〜(４)のいずれか一に記載の写真立てである。
【００１１】
本考案によれば、フレームを凹条溝に容易に嵌め込んだり、引き抜いたりするだけで、フレームを蓋に装着できる、取り扱いに便利な写真立てを得ることができるようになる。
(６)本考案はまた、前記凹条溝は、前記蓋の上面に穿って形成したことを特徴とする前記(５)記載の写真立てである。
【００１２】
本考案によれば、蓋そのものに凹条溝を形成しているので、部品点数の少ない写真立てを実現できる。
(７)本考案はまた、前記凹条溝は、前記蓋の上面に取り付けた一対の条部材を、隙間を存して並行配置して形成されたことを特徴とする前記(５)記載の写真立てである。なお、一対の条部材はアクリル材などの透明または半透明な素材を用いるのが好ましい。
【００１３】
本考案によれば、蓋の上面に一対の条部材を並行配置して取り付けるだけで、簡単に凹条溝を形成できるので、製作容易な写真立てを実現できるようになる。
(８)本考案はまた、前記凹条溝は、一本の条部材を穿って形成し、これを前記蓋の上面に設けたことを特徴とする前記(５)記載の写真立てである。なお、上記(７)と同様に条部材はアクリル材などの透明または半透明な素材であるのが好ましい。
【００１４】
本考案によれば、一本の条部材に凹条溝を穿って形成することによっても容易にフレームを着脱自在に装着できるようになる。
上記手段によれば、以下のような作用が得られる。
【考案の効果】
【００１５】
本考案に係る写真立てによれば、写真類だけでなく、ケースに収納された小物類をも同時に外部のあらゆる角度から透視して観賞でき、デザイン性に優れ、インテリアとしても利用できる写真立てを製作できる効果を奏する。
【図面の簡単な説明】
【００１６】
【図１】本考案に係る一実施形態における写真立てに係り、小物類や写真を飾らない状態での外観斜視図である。
【図２】図１において、小物類および写真を組み込んだ状態を示す写真立ての外観斜視図である。
【図３】上記一実施形態におけるケースに係り、(ａ)はケースの外観斜視図、(ｂ)はケース本体をスケルトン構想で示し、その組み立て分解を説明する外観斜視図である。
【図４】上記一実施形態におけるケースに係り、(ａ)は図３(ａ)のＡ−Ａ線における拡大断面図、(ｂ)は図３(ａ)のＢ−Ｂ線における拡大断面図である。
【図５】上記一実施形態におけるフレームに係り、(ａ)はその正面図、(ｂ)は図５(ａ)のＣ−Ｃ線における断面図である。
【図６】上記一実施形態におけるフレーム支持部の変形例に係り、(ａ)はケースの外観斜視図、(ｂ)は図６(ａ)のＤ部を拡大して示した要部外観図である。
【図７】おなじく、上記フレーム支持部の別の変形例における図６(ｂ)と同様の要部外観図である。
【考案を実施するための形態】
【００１７】
以下、本考案の一実施形態に係る写真立てを添付図面に基づいて説明する。
【００１８】
図１および図２に示すように、写真立て１はケース２とフレーム３を備える。ケース２およびフレーム３は例えば、透明または半透明の、所定の肉厚を有するアクリル樹脂材の板材を用いて形成される。ケース２には、生花を特殊加工により生花に近い状態で保存して得られる所謂プリザーブドフラワー(preserved flower)、花や草を乾燥させた所謂ドライフラワー(dry
flower)、造花としての所謂アーティフィシャルフラワー(artificial flower)といった小物類４が収納される。他方、フレーム３には写真５が添設されるようになっている。以下、写真立て１の構成をさらに詳述する。
【００１９】
図３および図４に示されるように、ケース２はケース本体６と蓋７とで形成される。ケース本体６には、下方に底板８が存し、その周囲を取り囲むように周壁９が設けられる。底板８および周壁９はアクリル樹脂の所定の厚みを有する板材を、不図示のアクリル樹脂用の接着剤を用いて結合することで、上方に開口したボックス状のケース本体６が形成される。なお、アクリル樹脂の色は無色あるいは有色のいずれであってもよい。
一方、周壁９の上方に形成される開口部１０には、アクリル樹脂の板材で形成した上記蓋７が、アクリル樹脂用の接着剤を用いて設けられる。こうして、蓋７で塞がれて形成されるケース２は外部から内部を透視できるスケルトン構造となる。
ケース２に小物類４が収納されるが、その際にケース本体６には図３(ｂ)に示すようにジェル１１が所定深さまで注入(充填)され、そこに小物類４がアレンジされ、半流動的に、ないしは完全に固化したジェルにより、小物類４が位置決め保持されるようになっている。このジェル(ｇｅｌ)はそれ自体公知のもので、例えば、動物や植物から得た材料で製造され、芯を突き立てて点火すればキャンドルとして燃えるものでよい。勿論、ジェル１１は、ケース２と一体感ある透明感を呈するように透明感のある素材を用いるのが好都合である。
次に蓋７の構成を説明する。この蓋７も上記ケース本体６と同様に透明または半透明のアクリル樹脂の板材を用いて形成されるが、その上面には後述するフレーム３を立てて支持する直線状のフレーム支持部１２が設けられる。フレーム支持部１２は図４(ｂ)によく示されるように、一条の横断面が後傾斜する凹状に穿たれた凹条溝として形成され、二点鎖線のように凹条溝１２に、フレーム３の下縁を着脱自在に嵌め込むことができるようになっている。
上記フレーム３は図５に示すように、四角形状を成す表板３ａと裏板３ｂとを有し、表裏両板の間に写真５を挟み込み、ビスなどの適宜の締結具３ｃで締め付けることにより写真５が保持されるようになっている。こうして、図１，２に示されるようにフレーム３を後傾斜した姿勢を保持したまま、蓋７、すなわちケース２に立てることで、写真立て１を完成することができる。
本一実施形態に係る写真立て１によれば、ケース本体６および蓋７で形成されるケース２と、フレーム３とを透明または半透明のアクリル樹脂を用いて形成しているので、写真５だけでなく、ケース２に収納される小物類４も、外部のあらゆる角度から立体的に透視できる。このため、写真立て１は全体として透明感にあふれ、透過性に優れた、クリスタル感覚に満ちたインテリア、調度品としても機能を発揮できる。
また、小物類４をケース本体６内、すなわちケース２内でジェル１１により位置決め保持できるので、小物類４の位置ずれを阻止できる利点がある。
また、フレーム３を凹条溝１２に嵌め込んだり、引き抜いたりするだけで、フレーム３を容易に蓋７に着脱自在に装着できる。
本考案の写真立て１は、上記した一実施形態に限定されるものではなく、本考案の要旨を逸脱しない範囲内において種々変更を加え得ることができるのは勿論である。
【００２０】
例えば、上記ではフレーム支持部としての凹条溝１２を、蓋７自体に穿って形成したが、この代わりに図６(ａ)および同図(ｂ)に示すように、蓋７と同様にアクリル樹脂で形成した一対の条部材１３ａ，１３ｂを、蓋７の上面に隙間を存して並行配置して設けることにより凹条溝１３を形成してもよい。
【００２１】
また、図７に示すように、凹条溝１４を穿って形成したアクリル樹脂製の一本の条部材１５を蓋７に貼り付けるようにしてもよい。
【００２２】
さらに、ケース２に収納する小物類４は、適宜別の小物類に取り替えてアレンジすることも可能である。係る点を考慮して、上記のように蓋７をケース本体６の開口部１０に接着剤で固定する代わりに、蓋７をケース本体６に着脱自在に載置して位置決め固定できる構造にして取り付けられるようにしてもよい。これにより、小物類４の取り替えを簡単に行うことができる利点がある。
【００２３】
また、上記小物類４はプリザーブドフラワー、ドライフラワー、アーティフィシャルフラワー等を例に挙げて説明したが、これら以外にミニチュアカー、腕時計、メダルなど各種の思い出の品であってもよいのは勿論である。
【００２４】
また、上記ではケース２はボックス状に形成したが、平面形状がハート形、円形、楕円などを基調とした立体形状の形態であってもよい。
【００２５】
また、上記ではフレーム３に写真を挟持させたが、絵はがき、イラスト画等の掲示物でもよい。
【００２６】
また、上記では凹条溝１２，１３，１４を直線状の形状としたが、フレーム３の下縁の形状に応じてくの字状に屈折した形状、多角的に屈折した形状、あるいは円弧や楕円の曲線形状の形態にすることも可能である。
【００２７】
また、上記フレーム３は表板３ａと裏板３ｂとの合わせ構造としたが、勿論単板構造のフレームであってもよい。
【産業上の利用可能性】
【００２８】
本考案の写真立ては写真類だけでなく、ケース内部にアレンジして収納された小物類を外部から透視して楽しむことができ、室内を飾るインテリアとして利用可能である。
【符号の説明】
【００２９】
１  写真立て
２  ケース
３  フレーム
４  小物類
５  写真
６  ケース本体
７  蓋
８  底板
９  周壁
１０  開口部
１１  ジェル
１２  凹条溝（フレーム支持部）
１３  凹条溝
１３ａ，１３ｂ  条部材
１４  凹条溝
１５  条部材
【図１】
0003175527.tif 000003
【図２】
0003175527.tif 000004
【図３】
0003175527.tif 000005
【図４】
0003175527.tif 000006
【図５】
0003175527.tif 000007
【図６】
0003175527.tif 000008
【図７】
0003175527.tif 000009